(57)【要約】  本発明は、独立型デバイスとして又は飲料調製マシン２０に無線接続されて使用され得る、ミルク／ミルク泡を生成するデバイス１０に関連する。デバイスは、独立型デバイスとして使用されているときに、所望のミルク／ミルク泡の特性を制御し、マシンに無線接続されているときに、マシンと共に調製される飲料レシピの調製及び注出のためにマシンを駆動し、所望の飲料レシピを得るシーケンスを管理する。本発明は、上記のデバイスとマシンとを備えるシステムであって、デバイスがマシンに無線接続可能であり、ユーザがデバイスにおいてレシピを選択し、選択されたレシピに応じて、デバイスが、独立型として動作し、レシピを生成する、又はデバイスが、マシンを駆動し、ユーザの入力によって提供された飲料レシピを得るシーケンスを管理する、システムにも関する。本発明は、飲料又は飲料レシピを調製するために上記のシステムを作動させる方法にも関する。【選択図】  図２
2021505274.tif 000002
【特許請求の範囲】
【請求項１】
独立型デバイスとして使用され得る、又は飲料調製マシン（２０）に無線接続されて使用され得る、ミルク及び／又はミルク泡を生成するためのデバイス（１０）であって、
前記デバイス（１０）は、前記デバイス（１０）が独立型デバイスとして使用されているときに、所望の前記ミルク及び／又は前記ミルク泡の特性を制御し、
前記デバイス（１０）は、前記飲料調製マシン（２０）に無線接続されているときに、前記飲料調製マシン（２０）と共に調製される飲料レシピの調製及び注出のために前記飲料調製マシン（２０）を駆動し、所望の飲料レシピを得るためのシーケンスを管理する、デバイス（１０）。
【請求項２】
前記デバイス（１０）は、独立型デバイスとして使用されているときに、以下のパラメータ、即ち、前記ミルク泡の温度及び／又は密度及び／又は流量；前記ミルクの温度及び／又は流量、のうちの少なくとも１つを制御する、請求項１に記載のデバイス（１０）。
【請求項３】
スマートフォン又はタブレットなどの無線装置（３０）に接続可能であるように構成されており、前記デバイス（１０）は、前記無線装置（３０）からユーザの入力を受信し、前記デバイス（１０）のステータスなどに関する情報を前記無線装置（３０）に送信するように構成されている、請求項１又は２に記載のデバイス（１０）。
【請求項４】
前記無線装置（３０）に提供される前記ユーザの入力情報は、レシピ情報及び／又はレシピパラメータ及び／又は開始／停止情報を含む、請求項３に記載のデバイス（１０）。
【請求項５】
ユーザは、前記デバイスにおいてワンタッチレシピを選択することができる、請求項１〜４のいずれか一項に記載のデバイス（１０）。
【請求項６】
請求項１〜５のいずれか一項に記載のミルク及び／又はミルク泡を生成するためのデバイス（１０）と飲料調製マシンとを備えるシステムであって、
前記デバイス（１０）は前記飲料調製マシンに無線接続可能であり、ユーザは前記デバイス（１０）においてレシピを選択し、選択された前記レシピに応じて、前記デバイス（１０）は、独立型として動作し、前記レシピを生成する、又は前記デバイスは、前記飲料調製マシンを駆動し、前記ユーザの入力によって提供された飲料レシピを得るためのシーケンスを管理する、システム。
【請求項７】
前記デバイス（１０）は、前記ユーザにより選択された前記レシピに応じて、逐次的に又は同時的に動作するように前記飲料調製マシンを駆動する、請求項６に記載のシステム。
【請求項８】
前記デバイス（１０）と前記飲料調製マシンは、Ｗｉ−Ｆｉ及び／又はＢｌｕｅｔｏｏｔｈによって接続可能である、請求項６又は７に記載のシステム。
【請求項９】
前記デバイス（１０）及び／又は前記飲料調製マシンは、Ｗｉ−Ｆｉ及び／又はＢｌｕｅｔｏｏｔｈによって無線装置（３０）に接続可能である、請求項６〜８のいずれか一項に記載のシステム。
【請求項１０】
前記ユーザの入力は、前記無線装置（３０）によって前記デバイス（１０）に提供され、前記デバイスは、前記ユーザの入力によって提供された飲料レシピを得るために前記飲料調製マシンを駆動する、請求項９に記載のシステム。
【請求項１１】
前記飲料調製マシンは、コーヒーマシンである、請求項６〜１０のいずれか一項に記載のシステム。
【請求項１２】
飲料又は飲料レシピを調製するために、請求項６〜１１のいずれか一項に記載のシステムを作動させる方法であって、
前記デバイス（１０）が、周囲に飲料調製マシン（２０）が存在するかどうかを確認するステップであって、前記飲料調製マシンが存在する場合、前記デバイスが、前記飲料調製マシン（２０）に接続し、独立レシピ及び複数原材料レシピの両方を有効にし、前記飲料調製マシン（２０）が存在しない場合、独立レシピのみが有効にされる、ステップと、
前記ユーザが、前記デバイス（１０）上で許容可能な前記有効にされたレシピから１つのレシピを選択するステップと、
前記デバイス（１０）が、前記レシピが独立レシピであるか否かを確認するステップと、
前記レシピが独立レシピである場合、前記デバイス（１０）が、前記ユーザの入力に従いミルク及び／又はミルク泡を生成するステップと、
前記レシピが複数原材料レシピである場合、前記デバイス（１０）が、選択された飲料レシピを得るために、特定のシーケンスに従い前記飲料調製マシン（２０）を駆動するステップと、
を含む、方法。
【請求項１３】
前記デバイス（１０）は、前記デバイス（１０）上で前記ユーザにより選択された前記レシピに応じて、逐次的に又は同時的に動作するように前記飲料調製マシンを駆動する、請求項１２に記載の方法。
【請求項１４】
前記デバイス（１０）は、前記デバイス（１０）が無線接続されている無線装置（３０）によって、前記ユーザの入力に関する情報を受信する、請求項１２又は１３に記載の方法。
【発明の詳細な説明】
【技術分野】
【０００１】
本発明は、独立型デバイスとして使用することができる、又は飲料調製マシン、典型的にはコーヒーマシンに接続することができる、ミルク及び／又はミルク泡を生成するためのデバイスに関する。本発明は更に、このようなデバイスを備えるシステム、及びこのようなシステムを作動させる方法に関する。
【背景技術】
【０００２】
現在、コーヒーマシンとともに販売されているミルク又はミルク泡を生成するためのデバイスが存在するが、これらは簡単な手法での、望ましくはボタンのタッチによる完全なレシピの調製を可能にせず、むしろいくつかのデバイス上でユーザのいくつかの操作を必要とする。
【０００３】
多くの場合、コーヒーマシンは、ベンチュリ技術などの組み込まれたミルク泡立て技術を備え、これらマシンを非常に嵩張るものにする。更に、コーヒーだけが欲しい人はそのような嵩張るかつ複雑なマシンを必要とせず、同様に、ミルク又はミルク泡だけが欲しい人もそのようなマシンを欲しない。
【０００４】
カプチーノ、ラテマキアート等のような飲料を調製するために、ミルク及び／又はミルク泡を調製し、コーヒーマシンに接続することができるデバイスも存在する。しかしながら、これらの既存のミルク又はミルク泡立てアクセサリは、コーヒーマシンから完全に分離されており、飲料を調製するために別々に又は逐次的に使用する必要がある。このことは、プロセスをユーザにとって不親切なものにし、また、調製される飲料の品質が必ずしも最適とならない。
【０００５】
したがって、先行技術において既知のデバイスの欠点を有しないミルク及び／又はミルク泡を生成するデバイスを提供することが望ましい。したがって、本発明は、調製マシンに接続されて機能する場合にボタンのタッチでレシピを容易に提供することができる、又はユーザが所望する特定の特性のミルク又はミルク泡を提供する独立型デバイスとして使用することができる、飲料調製マシンに接続することができる又は独立型デバイスとして使用することができるミルク及び／又はミルク泡立てデバイスを提供するものである。
【０００６】
本発明は、これらのニーズに対する解決策を提供するものである。
【発明の概要】
【０００７】
第１の態様によれば、本発明は、独立型デバイスとして使用され得る、又は飲料調製マシンに無線接続されて使用され得る、ミルク及び／又はミルク泡を生成するためのデバイスであって、このデバイスが独立型デバイスとして使用されているとき、デバイスは、所望のミルク及び／又はミルク泡の特性を制御し、デバイスは、この飲料調製マシンに無線接続されているとき、飲料調製マシンと共に調製される飲料レシピの調製及び注出のために飲料調製マシンを駆動し、所望の飲料レシピを得るためのシーケンスを管理する、デバイスに関する。
【０００８】
本発明のデバイスが独立型デバイスとして使用されているとき、デバイスは、以下のパラメータ、即ち、ミルク泡の温度及び／又は密度及び／又は流量；ミルクの温度及び／又は流量、のうちの少なくとも１つを好ましくは制御する。
【０００９】
典型的には、本発明によるデバイスは、スマートフォン又はタブレットなどの無線装置に接続可能であるように構成されており、デバイスは、無線装置からユーザの入力を受信し、例えばデバイスのステータスに関する情報を無線装置に送信するように構成されている。
【００１０】
好ましくは、本発明のデバイスでは、無線装置に提供されるユーザの入力情報は、レシピ情報及び／又はレシピパラメータ及び／又は開始／停止情報を含む。
【００１１】
本発明によるデバイスでは、ユーザは、典型的には、ワンタッチレシピを選択することができる。
【００１２】
第２の態様によれば、本発明は、前述のもののようなミルク及び／又はミルク泡を生成するためのデバイスと、飲料調製マシンとを備えるシステムであって、デバイスは飲料調製マシンに無線接続可能であり、ユーザは上記デバイスにおいてレシピを選択し、選択されたレシピに応じて、デバイスは、独立型として動作し、上記レシピを生成する、又はデバイスは、飲料調製マシンを駆動し、ユーザの入力によって提供された飲料レシピを得るためのシーケンスを管理する、システムに関する。
【００１３】
好ましくは、本発明のシステムでは、デバイスは、ユーザにより選択されたレシピに応じて、逐次的に又は同時的に動作するように飲料調製マシンを駆動する。
【００１４】
典型的には、本発明によるシステムでは、デバイスと飲料調製マシンはＷｉ−Ｆｉ及び／又はＢｌｕｅｔｏｏｔｈ（登録商標）によって接続可能である。好ましくは、デバイス及び／又は飲料調製マシンは更に、典型的には、レシピの管理に関する通知、又は例えば、飲料調製マシン内の水タンクが空であるときなどの特定のアラートに関する通知のために、飲料及び／又はミルク及び／又はミルク泡の調製を開始又は停止するために、並びにまた、例えば、飲料を調製する時間又はレシピを生成する時間等を設定するために、Ｗｉ−Ｆｉ及び／又はＢｌｕｅｔｏｏｔｈ（登録商標）によって無線装置に接続可能である。
【００１５】
本発明のシステムでは、ユーザの入力は、無線装置によってデバイスに好ましくは提供され、デバイスは、ユーザの入力によって提供された飲料レシピを得るために飲料調製マシンを駆動する。
【００１６】
典型的には、本発明によるシステムでは、飲料調製マシンは、コーヒーマシンである。
【００１７】
更に別の態様によれば、本発明は、飲料を調製するために、記載されるもののようなシステムを動作させる方法であって、
デバイスが、周囲に飲料調製マシンが存在するかどうかを確認するステップであって、飲料調製マシンが存在する場合、デバイスが、飲料調製マシンに接続し、独立レシピ及び複数原材料レシピの両方を有効にし、飲料調製マシンが存在しない場合、独立レシピのみが有効にされる、ステップと、
ユーザが、デバイス上で許容可能な前記有効にされたレシピから１つのレシピを選択するステップと、
デバイスが、レシピが独立レシピであるか否かを確認するステップと、
レシピが独立レシピである場合、デバイスが、ユーザの入力に従いミルク及び／又はミルク泡を生成するステップと、
レシピが複数原材料レシピである場合、デバイスが、選択された飲料レシピを得るために、特定のシーケンスに従い飲料調製マシンを駆動するステップと、
を含む、方法に関する。
【００１８】
本発明による方法では、デバイスは、デバイス上でユーザにより選択されたレシピに応じて、逐次的に又は同時的に動作するように飲料調製マシンを好ましくは駆動する。
【００１９】
典型的には、本発明の方法では、デバイスは、デバイスが無線接続されている無線装置によって、ユーザの入力に関する情報を受信する。
【００２０】
本発明の更なる特徴、利点及び目的は、以下の本発明の非限定的実施形態の詳細な説明を添付の図面と併せて読めば、当業者には明らかになるはずである。
【図面の簡単な説明】
【００２１】
【図１】既知の先行技術による、無線装置によって命令される飲料調製マシンを示す。
【図２】飲料調製マシンと無線装置とに接続可能な、本発明によるミルク及び／又はミルク泡を生成するためのデバイスを示す。
【図３】独立型デバイスとして使用される場合の、本発明によるミルク及び／又はミルク泡を生成するためのデバイスを示し、上記デバイスによって提供される異なる調製可能性を示す。
【図４】飲料調製マシンに接続されて使用される場合の、本発明によるミルク及び／又はミルク泡を生成するためのデバイスを示し、上記デバイスを飲料マシンとともに使用して調製することができる、異なるレシピの可能性を示す。
【図５ａ】本発明によるデバイスで調製することができる異なるレシピ又は飲料を示す。
【図５ｂ】本発明によるデバイスで調製することができる異なるレシピ又は飲料を示す。
【図６】本発明によるミルク及び／又はミルク泡を生成するためのデバイスを使用して提供することができる３つの異なる典型的な独立レシピを示す。
【図７】飲料調製マシン、典型的にはコーヒーマシンに関連して使用される場合に、本発明によるミルク及び／又はミルク泡を生成するためのデバイスを使用して提供することができる３つの異なる典型的なレシピを示す。
【発明を実施するための形態】
【００２２】
本発明は、ミルク及び／又はミルク泡を生成するデバイス１０に関し、このデバイス１０は、飲料調製マシン２０、典型的にはコーヒーマシンに接続可能である。本発明のデバイス１０は、好ましくはまた、ユーザの選択に応じて、ホット若しくはコールドミルク及び／又はミルク泡を提供するように構成可能である。図１に示すように、先行技術の既知の飲料調製マシン２０は無線装置３０に接続可能であり、図１に示されるこの場合、無線装置３０は、飲料調製マシン２０に命令し、これを駆動するマスターとして機能し、飲料調製マシン２０は、無線装置３０からコマンド及び命令を受け取るスレーブ装置として機能する。装置３０はコーヒーマシン２０に接続し、このマシンに、例えば、コーヒーの調製を開始すること又はコーヒーの調製を停止することを命令する。コーヒーマシン２０はまた、無線装置３０に接続することができ、例えば、水タンクが空であることを示す、又はマシン２０の部品若しくは構成要素の特定の動作不良を、この情報をユーザに認識させるために強調するなど、ステータス情報を提供することができる。
【００２３】
ここで図２を見ると、本発明のデバイス１０は飲料調製マシン２０、典型的にはコーヒーマシンに接続可能である。本発明による構成では、ここでは、マスターとして機能し、例えば、コーヒーの調製を開始する又はコーヒーの調製を停止するなどの命令をコーヒーマシン２０に提供するのはデバイス１０であり、この場合、飲料調製マシン２０はスレーブとして機能し、デバイス１０はここではマスターとして機能し、マシン２０を駆動し、これに命令する。飲料調製マシン２０は、例えば、コーヒーが用意できたときなどにデバイス１０に情報を提供する。本発明によるミルク及び／又はミルク泡を調製するためのデバイス１０はまた、図２に概略的に示されるように、無線装置３０に接続可能である。この場合、無線装置３０、典型的にはスマートフォン又はタブレットは、調製する飲料レシピの定義、その飲料に望ましい特性、又は例えば、レシピをいつ開始及び／若しくは停止しなければならないかなどの命令、即ち、ユーザから来る情報をデバイス１０に提供する。デバイス１０はまた、装置３０と通信し、典型的には、この通信は、デバイスがエラー又は動作不良を有する場合はこれをユーザに認識させるために、デバイスのステータスに関する情報を含む、又は例えばまた、注文した飲料又はレシピの進行に関してユーザに適時通知されるように、レシピのステータスに関する情報を通信する。図２の点線矢印で表されるように、装置３０が飲料調製マシン２０と通信することも可能である。この場合、装置３０はマスターとして機能し、コーヒーマシン２０はスレーブとして機能する。送信される情報は、マシン２０内でのコーヒーの調製の開始又は停止に関係し得る。通知は、水タンクが空の時、若しくは例えば、空になりそうなときにマシン２０によって装置３０に送信される、又は例えば、コーヒーの調製を開始する若しくはコーヒーを用意する特定の時間を設定するために装置３０からコーヒーマシン２０に送信される。
【００２４】
図２に概略的に示されるように、デバイス１０がコーヒーマシン２０と通信するとき、デバイス１０はマスターとして機能し、マシン２０はスレーブとして機能する。装置３０がデバイス１０と通信するとき、マスターとして機能するのは装置３０であり、デバイス１０はスレーブの役割をとる。コーヒーマシン２０と通信するのが装置３０であるとき、マシン２０はスレーブであり、無線装置３０はマスターとして機能する。
【００２５】
典型的には、飲料調製マシン２０とデバイス１０との装置３０の無線通信は、Ｂｌｕｅｔｏｏｔｈ又はＷｉＦｉによって行われる。
【００２６】
前述のように、本発明のデバイス１０は、ミルク及び／又はミルク泡を調製することができ、ホットミルク及び／又はホットミルク泡も提供することができる。デバイス１０は、独立型デバイスとして使用され得る、又は飲料調製マシン２０と接続され、これと併せて使用され得る、のいずれかである。両方の場合において、デバイス１０はまた、電話又はタブレットなどの無線装置３０に接続することができる。
【００２７】
図３は、デバイスが、異なる調製可能性、典型的には液体（ホットミルク又はコールドミルク）、薄い泡、又は濃い泡を提供する、独立型デバイスとして使用されるとき、即ち調製マシン２０に接続されていないときの本発明のデバイス１０の構成を示す。液体オプションはボタン１２によって示され、薄い泡はボタン１３によって示され、濃い泡はボタン１４によって示される。オン／オフボタンは、図３の参照番号１１によって示される。デバイス１０が独立型デバイスとして動作する場合、提供される調製オプションはボタン１２、１３、１４により点灯される。デバイス１０が飲料調製マシン２０、典型的にはコーヒーマシンと併せて機能する場合、同じボタン（又は異なるボタン）が点灯されるものの、以下で説明するように、異なる調製可能性を提供する。本発明の別の態様に従い、独立レシピ（ミルク、ミルク泡）及びコンビネーションレシピ（ラテ、カプチーノ、ラテマキアート）の両方の、両種類のレシピをデバイスにおいてワンタッチで利用可能にすることも可能である。この場合、デバイス１０に、ユーザが選択可能な２列のボタンが存在する（１２、１３、１４、及び１２’、１３’、１４’。しかし、添付の図面では示されない）。
【００２８】
独立型デバイスとして使用されている場合、以下のパラメータ、即ち、ミルク泡の温度、密度、又は流量；ミルクの温度又は流量の１つ以上が少なくとも制御される。
【００２９】
図４を見ると、デバイス１０は、それが飲料調製マシン２０に接続されたことを検知し、マスターモードに切り替わり、全レシピ（コーヒー及びミルク及び泡）の制御を得る。図４に概略的に示されるように、ここで、異なる調製オプションがデバイスによって提供され、ここで、同じ（又は異なる）ボタンが、図４に示されるもののような異なる調製オプション、即ち、ラテ（ボタン１２’）、カプチーノ（ボタン１３’）、又はラテマキアート（ボタン１４’）を点灯させる。マシン２０に関連して調製される全レシピに対する制御はデバイス１０によって引き継がれる。
【００３０】
図３又は図４のいずれかに示すように、デバイス１０は、典型的にはワンタッチレシピとして提供されるレシピを制御するマスターになる。
【００３１】
図６は、独立型デバイスとして使用される場合に提供される各調製物を生成するためのデバイス１０に適用される異なるパラメータを例示する。液体（ミルク）はボタン１２、薄い泡はボタン１３、又は濃い泡はボタン１４である。所望のレシピ（ミルク、薄い泡、濃い泡）に応じて、モータ速度及びモータ時間、提供されるミルク又は泡の温度、並びに空気弁が開かれているか否か、及びどれくらいの間開かれているかなどのパラメータがデバイス１０において有効にされ、命令される。
【００３２】
図７は、デバイス１０がコーヒーマシン２０に関連して機能する場合に選択することができる可能なレシピを例示する。例えば、記載したように、デバイス１０におけるボタンのタッチで、ラテ（１２’）、カプチーノ（１３’）、又はラテマキアート（１４’）を提供することができる。したがって、デバイス１０はマスターとして機能し、ミルク又はミルク泡部分は自身で処理し、コーヒー部分はコーヒーマシン２０から命令する。提供される飲料の組み合わせ、これらのタイミング、特性等は全て、上記デバイス１０によって命令及び支配される。
【００３３】
図５ａ及び図５ｂは、コーヒーマシン２０に関連して使用されるデバイス１０によって典型的に提供することができるレシピの例を示す。レシピは、図５ｂに示されるように、適用されるいくつかのシーケンス、１、２、．．．Ｎによって調製される。
【００３４】
図示されるように、レシピは、泡、ミルク、又はコーヒーの種類に対する１つ又はいくつかのシーケンスから典型的に構成され、これらシーケンスのそれぞれは、以下のパラメータ、即ち、
モータ速度
モータ時間
温度
空気弁のデューティ比
コーヒー種
の少なくとも１つ又は組み合わせを含む。
【００３５】
これは図５ａに例示されている。図５ｂは、これらシーケンスの１、２、及び（ｎ）で生成されるレシピを示し、各シーケンスは、上記パラメータの１つ又は組み合わせによって制御される。
【００３６】
したがって、説明したように、本発明は、コーヒーマシンを駆動することはもとより、ミルクの調製を可能にし、複雑なレシピ（例えば、ラテマキアート、カプチーノ等）の調製及び供給をボタンのタッチで可能にする接続式ミルク及び／又はミルク泡立てデバイスに対応する。この考えは、アクセサリ（即ちデバイス１０）がコーヒーマシン２０に接続されたときにアクセサリ（即ちデバイス１０）が調製のマスターになるというものである。したがって、アクセサリ（デバイス１０）と、飲料調製マシン（コーヒーマシン２０）と、ユーザの電話（無線装置３０）との間に三角形ネットワークが作成される。
【００３７】
したがって、ユーザは、自身の電話（無線装置３０）で自身のお気に入りのレシピを定義することができ、それらをデバイス１０に送信することができ、いくらかのフィードバックも得る。その後、アクセサリ（即ちデバイス１０）がメインＨＭＩ（調製手順を統制するマスター）になり、ワンタッチレシピがそこから有効にされる。コーヒー生成は、アクセサリから（デバイス１０から）直接制御される。本発明によって提供される主な利点の１つは、コーヒーマシン２０が不変のままであり（追加の／隠れたＨＭＩ又は接続をコーヒーマシンに組み込む必要はなく、標準的な又は既知のコーヒーマシン及びデバイス１０がＷｉＦｉ又はＢｌｕｅｔｏｏｔｈによる無線通信を有する限りは、標準的な又は既知のコーヒーマシンをデバイス１０とともに引き続き使用できることである。したがって、唯一の要件は、コーヒーマシンをユーザに接続できることであり、これは例えば、１つ前の世代のＢｌｕｅｔｏｏｔｈ対応コーヒーマシンに既に当てはまる。
【００３８】
要約すると、本発明のデバイスの主な利点のいくつかは以下のとおりである。
ボタンのタッチで複雑なレシピ（ラテ、ラテマキアート、カプチーノ等のような）を利用可能である。
既存のコーヒーマシン２０を、このマシンにあらゆる影響又は変化を及ぼすことなくＷｉＦｉ又はＢｌｕｅｔｏｏｔｈによって接続可能な場合、いかなる余分なコストもいかなる再設計の必要もなく、レシピ等を提供するために本発明の新たなデバイス１０を既存のコーヒーマシン２０に接続することができる。
デバイス１０とマシン２０との間の接続はＷｉＦｉ又はＢｌｕｅｔｏｏｔｈを使用する単純なものであり、デバイスをマシンに接近させるだけで、マシン２０に対するデバイス１０の簡単かつ単純な接続を可能にする。
デバイス１０のおかげで、コーヒー、ミルク、及び泡の供給の制御により、複雑なレシピの完全な制御が提供される。
上質な微小泡が供給される。
調整可能な空気弁の空気入口に作用することにより調整可能な泡密度。
単純な構造
カップまで直接つながっている、インライン式システム
非常に簡単な洗浄を可能にする実施形態。
ホット、コールド、又は室温の調製物を供給することが可能。
マシンモジュール又はアクセサリアーキテクチャが可能。
【００３９】
第２の態様によれば、本発明は更に、ミルク及び／又はミルク泡を生成するためのデバイス１０と、飲料調製マシン２０、典型的にはコーヒーマシン２０とを備えるシステムに関する。好ましくは、ユーザはデバイス１０においてレシピを選択し、デバイスは、レシピが独立のもの（即ち、ミルク、ミルク泡が提供される）であるかどうか、又はレシピがコーヒーマシンと共に調製されるレシピであるかどうかに応じて、所望の最終飲料のために実行することが必要なレシピシーケンスに従い、ミルク若しくは泡のみを直接調製する、又は必要に応じてコーヒーマシンを駆動する。
【００４０】
更に第３の態様によれば、本発明は、デバイス１０を作動させる方法、又はこのようなデバイス１０と飲料調製マシン２０とを備えるシステムを作動させる方法に関する。独立型デバイスとして機能するデバイス１０のみを作動させる場合、ミルク（ホット又はコールド）又はミルク泡（薄い又は濃い、ホット又はコールド）として、特定の可能性のみが消費者に提供される。消費者は、これらのうちの１つをデバイス１０において直接選択することができる（対応するボタンを押すことにより）、又はこれらのうちの１つを無線装置３０（典型的には電話又は表）において選択することにより、この情報をデバイス１０に送信し、その後、その調製へと進む。
【００４１】
方法がシステム（システムはデバイス１０とコーヒーマシンタイプの飲料マシン２０とを備える）を動作させると、ラテ、ラテマキアート、又はカプチーノなどの異なるレシピがデバイス１０において提供される。消費者は、これらのうちの１つをデバイス１０において直接選択することができる（その後、デバイスは、そのような調製に必要な要求されるシーケンスでコーヒーマシンを駆動する）、又は消費者は、レシピを無線装置３０（電話又はタブレット）で選択することができ、レシピは無線装置３０から、選択されたレシピの調製に必要なシーケンスに従ってコーヒーマシン２０の機能を統制するデバイス１０に送信される。
【００４２】
本発明を好ましい実施形態を参照して説明してきたが、添付の特許請求の範囲によって規定される本発明の範囲から逸脱することなく、当業者によって多くの修正及び変更がなされ得る。
【図１】
2021505274.tif 000003
【図２】
2021505274.tif 000004
【図３】
2021505274.tif 000005
【図４】
2021505274.tif 000006
【図５Ａ】
2021505274.tif 000007
【図５Ｂ】
2021505274.tif 000008
【図６】
2021505274.tif 000009
【図７】
2021505274.tif 000010
【国際調査報告】
2021505274.tif 000011
2021505274.tif 000012